【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
内燃機関のためのギャラリなしピストンであって、
中心の長手方向軸に沿って延在する一体型のピストン本体を備え、前記ピストンが、前記中心の長手方向軸に沿って、内燃機関のシリンダボアにおいて往復運動し、前記ピストン本体は、上部燃焼面を形成する上方壁を有し、環状リングベルト領域が、少なくとも１つのピストンリングを収容するために前記上部燃焼面から垂下し、前記ピストン本体は、前記リングベルト領域から垂下してシリンダボア内において前記ピストンを案内し易くするための１対のスカート部分と、１対のピンボスとをさらに含み、前記１対のピンボスは、横方向に間隔を空けて配置された１対のピンボアを備え、前記１対のピンボアは、ピンボア軸に沿って位置合わせされてリストピンを収容するためのものであり、前記上部燃焼面は第１の部分および第２の部分を有し、前記第１の部分は、前記上方壁の外周に沿って環状に延在し、前記第２の部分は、前記第１の部分から径方向内側に垂下する燃焼ボウルを形成し、前記上方壁は、前記上部燃焼面の前記第２の部分の正反対側において前記燃焼ボウルの下側に形成された下クラウン面を有し、前記下クラウン面は、前記中心の長手方向軸に沿って見たときに、開放的に露出された突出型の２次元表面積を有し、前記突出型の２次元表面積は、前記ピストン本体の最大外径によって規定される面積の３５パーセント〜６０パーセントである、ギャラリなしピストン。
【請求項２】
前記下クラウン面は、前記ピストン本体の前記面積の４０パーセントよりも広い総３次元表面積を有する、請求項１に記載のギャラリなしピストン。
【請求項３】
前記下クラウン面は、前記ピストン本体の前記面積の６０パーセントよりも広い総３次元表面積を有する、請求項２に記載のギャラリなしピストン。
【請求項４】
前記下クラウン面は、前記ピストン本体の前記面積の７０パーセントよりも広い総３次元表面積を有する、請求項２に記載のギャラリなしピストン。
【請求項５】
前記下クラウン面は、前記ピストン本体の前記最大外径の７５パーセント〜９０パーセントの直径を有する、請求項１に記載のギャラリなしピストン。
【請求項６】
前記燃焼ボウルは最大燃焼ボウル直径を有し、前記下クラウン面は、前記最大燃焼ボウル直径の少なくとも８５パーセントの直径を有する、請求項１に記載のギャラリなしピストン。
【請求項７】
前記下クラウン面は、前記最大燃焼ボウル直径の１００パーセント〜１４０パーセントの直径を有する、請求項６に記載のギャラリなしピストン。
【請求項８】
１対のポケットは、前記ピンボスから前記ピンボア軸に沿って前記リングベルト領域にまで径方向外側に延在し、前記ポケットは、少なくとも前記下クラウン面の一部、前記第１の部分の下側の一部、および前記環状リングベルト領域の内面の一部を規定し、前記ポケットは、前記ピストン本体の最大２次元面積の４５パーセント〜８５パーセントの総３次元表面積を有する、請求項１に記載のギャラリなしピストン。
【請求項９】
前記ポケットは、前記ピストン本体の前記最大２次元面積の６０パーセントよりも広い総３次元表面積を有する、請求項８に記載のギャラリなしピストン。
【請求項１０】
前記ポケットは、前記ピストン本体の前記最大２次元面積の７０パーセントよりも広い総３次元表面積を有する、請求項９に記載のギャラリなしピストン。
【請求項１１】
前記ピンボスは、前記ピストン本体の前記最大外径の６０パーセント未満である第１の距離だけ、前記ピンボア軸に沿って互いから間隔を空けて配置された径方向最外面を有する、請求項１に記載のギャラリなしピストン。
【請求項１２】
内燃機関のためのギャラリなしピストンを構築する方法であって、
機械加工プロセス、鍛造プロセスまたは鋳造プロセスのうちの１つのプロセスにおいて一体型のピストン本体を形成するステップを含み、前記一体型のピストン本体は、上部燃焼面を備えた上方壁と、前記上部燃焼面から垂下する環状リングベルト領域とを有し、前記上部燃焼面は第１の部分および第２の部分を有し、前記第１の部分は、前記上方壁の外周に沿って環状に延在し、前記第２の部分は、前記第１の部分から径方向内側に垂下する燃焼ボウルを形成し、前記上方壁は、前記第２の部分の正反対側において前記燃焼ボウルの下側に形成された下クラウン面を有し、前記ピストン本体は、前記環状リングベルト領域から垂下する１対のスカート部分と、横方向に間隔を空けて配置された１対のピンボアとを有し、前記１対のピンボアは、ピンボア軸に沿って位置合わせされてリストピンを収容するためのものであり、前記下クラウン面は、前記中心の長手方向軸に沿って見たときに開放的に視認可能な突出型の２次元表面積を有し、前記突出型の２次元表面積は、前記ピストン本体の最大外径によって規定される面積の３５パーセント〜６０パーセントである、方法。
【請求項１３】
前記ピストン本体の前記面積の４０パーセントよりも広い総３次元表面積を有する前記下クラウン面が形成される、請求項１２に記載の方法。
【請求項１４】
前記燃焼ボウルの最大径の少なくとも８５パーセントである直径を有する前記下クラウン面が形成される、請求項１２に記載の方法。
【請求項１５】
機械加工プロセス、鍛造プロセスまたは鋳造プロセスにおいて１対のポケットを形成するステップをさらに含み、前記ポケットは、前記ピンボスから前記ピンボア軸に沿って前記リングベルト領域にまで径方向外側に延在し、前記ポケットは、少なくとも前記下クラウン面の一部、前記第１の部分の下側の一部、および前記環状リングベルト領域の内面の一部を規定し、前記ポケットは、前記ピストン本体の最大２次元面積の４５パーセント〜８５パーセントの総３次元表面積を有する、請求項１２に記載の方法。
【請求項１６】
前記ピストン本体の前記最大外径の６０パーセント未満である第１の距離だけ、前記ピンボア軸に沿って互いから間隔を空けて配置された径方向最外面を有する前記ピンボスを形成するステップをさらに含む、請求項１２に記載の方法。
【請求項１７】
内燃機関のためのピストンであって、
中心の長手方向軸に沿って延在する一体型のピストン本体を備え、
前記ピストン本体は、上部燃焼面を形成する上方壁を有し、環状リングベルト領域が、前記上部燃焼面から垂下し、
前記上部燃焼面は第１の部分および第２の部分を有し、前記第１の部分は、前記上方壁の外周に沿って環状に延在し、前記第２の部分は、前記第１の部分から径方向内側に垂下する燃焼ボウルを形成し、
前記上方壁は、その下側に下クラウン面が形成されており、前記下クラウン面は、前記上部燃焼面の前記第２の部分の正反対側に位置し、
前記ピストン本体は、前記リングベルト領域から垂下する１対のスカート部分を含み、
前記ピストン本体は、前記スカート部分によって互いから間隔を空けて配置された１対のピンボスを備え、前記１対のピンボスは、横方向に間隔を空けて配置された１対のピンボアを備え、
前記ピストン本体は、前記スカート部分と前記ピンボスとの間に前記下クラウン面に沿った冷却ギャラリがなく、
前記下クラウン面は、前記中心の長手方向軸に沿って位置する凹状の中心部分を含む、ピストン。
【請求項１８】
前記凹状の中心部分は、前記スカートパネル間に長手方向に延在する長さと、前記ピンボス間に延在する幅とを有し、前記凹状の中心部分の前記長さは、前記幅よりも長い、請求項１７に記載のピストン。
【請求項１９】
前記下クラウン面の前記凹状の中心部分は、前記スカートパネル間に長手方向に延在する長さと、前記ピンボス間に延在する幅とを有し、前記凹状の中心部分の前記長さは、前記幅よりも長く、
前記凹状の中心部分は、前記下クラウン面の周辺区域から軸方向にオフセットされており、
前記凹状の中心部分は、前記周辺区域よりも前記ピンボスの近くに配置され、
湾曲した輪郭を有する少なくとも１つのバルブポケットは、前記上方壁の前記第１の部分に形成され、
前記ピストン本体は、前記下クラウン面に隣接して前記スカートパネルの各々の最上端縁に沿って階段状領域を含み、前記階段状領域は前記下クラウン面の一部を形成せず、
前記ピストン本体は、前記ピンボスの各々の径方向外側に配置された下クラウンポケットを含み、前記下クラウンポケットは前記下クラウン面の一部を形成し、
前記ピストン本体は前記下クラウン面、前記スカートパネルおよび前記ピンボスにそってリブを備えず、
前記ピストン本体は、前記上部燃焼面から前記上方壁の下側にまで延在する厚さを呈し、前記下クラウン面は、前記下側のうち、前記上部燃焼面の前記第２の部分から離れた距離まで延在する部分であり、前記距離は、前記第２の部分に沿った最少厚さの２倍以下であり、
前記ピストン本体は鋼から形成される、請求項１７に記載のピストン。
【請求項２０】
内燃機関のためのピストンであって、
中心の長手方向軸に沿って延在する一体型のピストン本体を備え、
前記ピストン本体は、上部燃焼面を形成する上方壁を有し、環状リングベルト領域が前記上部燃焼面から垂下し、
前記上部燃焼面は第１の部分および第２の部分を有し、前記第１の部分は、前記上方壁の外周に沿って環状に延在し、前記第２の部分は、前記第１の部分から径方向内側に垂下する燃焼ボウルを形成し、
前記上方壁は、その下側に下クラウン面が形成されており、前記下クラウン面は、前記上部燃焼面の前記第２の部分の正反対側に位置し、
前記ピストン本体は、前記リングベルト領域から垂下する１対のスカート部分を含み、
前記ピストン本体は、前記スカート部分によって互いから間隔を空けて配置された１対のピンボスを備え、前記１対のピンボスは、横方向に間隔を空けて配置された１対のピンボアを備え、
前記ピストン本体は、前記スカート部分と前記ピンボスとの間に前記下クラウン面に沿った冷却ギャラリがなく、
前記下クラウン面は、前記ピンボス間に位置する凹状の中心部分を含む、ピストン。